Podtech/llm-jp-corpus-v4-ja_patent huggingface dataset:
(57)【要約】      （修正有）【課題】パテ板本体に下塗り及び上塗り用のパテベラを収納できる収納部を設け、パテベラの刃縁部の先端の破損を防止する。また、パテ板の表面にメラミン樹脂を施しパテ板の表面の摩耗を防止する、収納部付パテ板を提供する。【解決手段】パテ板本体１の裏面にパテ板の握り部２を支持する方形の支持板３を固着し、その方形の支持板３の左右それぞれに対向する支持板３にパテベラの握り部が収まる切込み溝部４とパテベラの支持基板の両端が収まる切込み溝部５を形成した収納部６にパテベラを収納して刃縁部の先端７の破損を防止する。また、パテ板本体１の表面にメラミン樹脂を均一に被覆してパテ板の表面の摩耗を防止している。【選択図】図１
0003193075.tif 000002
【実用新案登録請求の範囲】
【請求項１】
パテ材を載置するパテ板の表面と前記パテ板の裏面に握り部を支持する方形の支持板を固着したパテ板において、左右それぞれに対向する支持板に適宜な切込み溝部を形成した収納部を設けたことを特徴とする収納部付パテ板。
【請求項２】
パテ材を載置するパテ板の表面をメラミン樹脂で被覆したことを特徴とする請求項１に記載の収納部付きパテ板。
【考案の詳細な説明】
【技術分野】
【０００１】  本考案は、下塗り及び上塗り用パテベラで壁紙を貼る前や塗料を塗る前処理で下地の凸凹を補修する際などにパテベラと併用するパテ板に関するものである。
【背景技術】
【０００２】  下塗り用パテベラ及び上塗り用パテベラは壁紙を貼る前や塗料を塗る前処理で下地の凸凹をパテで詰めて補修する時に使用するが、一連の作業の中継時や作業後は下塗り、上塗り用パテバラはパテを盛るパテ板の上に放置されていたり、バケツ等にパテ板とは別に雑に収納されていた。
また、従来のパテ板は下地の凸凹を補修する際などにパテ材を載せて運んだり、パテ材を合わせたりするもので、木製、金属や合成樹脂で単一材料にて形成されているものが市販されているが、パテ板は握り部が固定されているので角度調整ができない。
【先行技術文献】
【特許文献】
【０００３】
【特許文献１】  実用平０６−０６４７７５号公報
【考案の概要】
【考案を解決しようとする課題】
【０００４】  下塗り、上塗り用パテベラで下地の凸凹をパテで詰めて補修している一連の作業の中継時には、パテを盛るパテ板の上にパテベラが放置されてパテベラが上から落下して刃縁部の先端が破損したりする事が多々あり、また作業後パテベラがバケツに雑に収納されており下塗り、上塗り用パテベラの刃縁部の先端などが破損する場合が多々あった。
また、パテ板と下塗り、上塗り用パテベラが併用して使用するにも関わらず、別々に収納されているので一連の作業時に時間のロスが出来てしまい非効率となっている。
さらに、パテ板の握り部が固定されているので好みの角度に握部を調整できない。
そして、従来のパテ板は単一材料で形成されたものが多く、木製のパテ板は吸水性が高いのでパテ材の硬化がしやすい。
また、金属製のパテ板は重量があり上面部はヘラとの接触により摩耗しやすく製造コストも高い。
そして、合成樹脂製のパテ板はパテ材に削ぎ落す荷重により変形しやすい等の耐久性に劣るもので、これらの欠点を解決しようとするものである。
【課題を解決するための手段】
【０００５】  本校案は上記目的を達成するために、パテ材を載置するパテ板の表面をメラミン樹脂で被覆し、前記パテ板の裏面に握り部を支持する方形の支持板を固着し、且つ、支持板の左右それぞれ対向する一方の支持板にパテベラの握り部が収まる切込み溝部を形成し、他方の左右それぞれの対向する支持板にはパテベラの支持基板部の両端が収まる切込み溝部を形成して下塗り、上塗り用のパテベラが収納できる収納部を設けており、さらにパテ板の握り部を自在に調整出来る複数の穴を支持板に設けて問題を解決している。
【考案の効果】
【０００６】  上述の様に本考案の収納付きパテ板は、パテ材を合わせたりする際、パテベラとパテ板の表面が接触するかつ木製の単一材料で形成されたパテ板の表面は表面硬度が高いメラミン樹脂で被覆しているのでパテ板の表面にキズが付かず摩耗しにくい。
【０００７】  そして、本考案のパテ板は木製で形成されているので金属製のパテ板と比べ軽量で且つ製造コストも安く長時間の作業にも負担が少なく、ゆえに作業効率も上がる。
【０００８】  また、一連の作業の中継時や作業後には、パテ板の裏面に設けた収納部に下塗り、上塗り用パテベラを収納する事により、不注意でパテ板の上に放置されたパテベラの落下やバケツ等に雑に収納されたパテベラの刃縁部の先端の破損を防ぐことができる。
【０００９】    なお、握り部が厚いパテベラであっても握り部は切込み溝部に沿って収納出来る。
【００１０】  さらに、パテベラとパテ板は併用するのでパテベラをパテ板の収納部に収納する事により、移動の際など片手で持ち運びができ、そしてすばやく作業にかかれる事で作業効率も良い。
【００１１】  そして、パテ板の握り部の角度調整は支持板に設けた複数の取り付け穴の位置を変える事により容易にできる。
【図面の簡単な説明】
【００１２】
【図１】本考案の収納部付きパテ板の実施例を示す正面図である。
【図２】本パテ板本体の一部切欠側面図である。
【考案を実施するための形態】
【００１３】  以下、添付図面に従って一実施例を説明する。
１は木製のパテ板本体。２はパテ板の握り部で、ねじで着脱自在になっている。３は方形の支持板でパテ板本体１の裏面に固着されている。４はパテベラの握り部が収まる切込み溝部。５はパテベラの支持基板の両端が収まる切込み溝部。６はパテベラの収納部。７はパテベラの刃縁部の先端。８はパテ板本体１の上面に被覆したメラミン樹脂である。９はパテ板の握り部を取り付ける穴。１０は下塗り用パテベラ。１１は上塗り用パテベラである。
【００１４】  本考案の一実施例は上辻の如き構成からなるものであるから、下塗り用パテベラ１０及び上塗り用パテベラ１１をそれぞれパテ板本体１に設けた収納部６に収納し、パテ板の握り部２で押止しネジで締結してパテベラの刃縁部の先端７の破損を防止する。
また、パテ板本体１の上面に表面硬度の高いメラミン樹脂８を均一に被覆しているのでパテベラの接触によるキズ、摩耗を防止している。
さらに、パテ板の握り部２は、支持板３に設けられた複数の取り付け穴９により自在に取り付け、角度を容易に変えられるので右利き、左利きの人も好みの角度に調整出来る。
【産業上の利用可能性】
【００１５】  本考案は収納部付きパテ板を製造する産業で利用される。
【符号の説明】
【００１６】  １  パテ板本体
２  パテ板の握り部
３  方形の支持板
４  パテベラの握り部２が収まる切込み溝部
５  パテベラの支持基板５が収まる切込み溝部
６  収納部
７  刃縁部の先端
８  メラミン樹脂
９  取付け穴
１０  下塗り用パテベラ
１１  上塗り用パテベラ
【図１】
0003193075.tif 000003
【図２】
0003193075.tif 000004
(57)【要約】      （修正有）【課題】水を押す面と押さない面を設ける事により、より複雑な波動を発生させるメタルバイブレーションを提供する。【解決手段】本体２のステンレスの板に、２ヶ所以上の穴を開けて、振動時に水を押さない面を設けた。【選択図】図１
0003193079.tif 000002
【実用新案登録請求の範囲】
【請求項１】
ルアー本体の中心に、２ヶ所以上の穴の開いたステンレスの板を設けたことを特徴とするメタルバイブレーション。
【考案の詳細な説明】
【技術分野】
【０００１】  この考案は、釣りに用いるルアーの形状に関する。
【背景技術】
【０００２】  従来の釣り等で使うルアーの一種、メタルバイブレーションの形状は、ステンレスの板に鉛を成型した形状をしていた。主に釣竿とリールを用いてメタルバイブレーションを投げ、リールを巻く事で振動しながら泳ぐ。
【先行技術文献】
【実用新案文献】
【０００３】
【非実用新案文献】
【０００４】
【考案の概要】
【考案が解決しようとする問題】
【０００５】  しかしながら、従来のメタルバイブレーションの形状であれば、魚を誘う動きとなる振動について、本体の鉛部分とステンレス部分で水を押し波動を発生させるが、あくまで一つの面で水を押しているため単純な波動しか発生できなかった。そこで、この考案は、水を押す面と押さない面を設ける事により、より複雑な波動を発生させるメタルバイブレーションを提供することを課題とする。
【課題を解決するための手段】
【０００６】  以上の課題を解決するために、第一考案は、従来のステンレスの板に水を押すことが出来ない２ヶ所以上の穴を設け、本体の一部が水を押さない構造としたことを特徴とするメタルバイブレーションである。尚、２ヶ所以上の穴の定義は、釣針を取り付けるために設ける穴と、釣糸から接続金具を介してルアー本体を取り付ける目的の穴は含まないものとする。
【考案の効果】
【０００７】  第一考案によれば、メタルバイブレーションの本体であるステンレスの板に２ヶ所以上の穴を開けたことで、振動により発生する波動を複雑にする事が出来、従来のメタルバイブレーションの単純な波動よりも複雑な波動を発生させる事ができた。
【図面の簡単な説明】
【０００８】
【図１】この考案の一実施形態を示す平面図である。
【図２】従来技術を示す平面図である。
【考案を実施するための形態】
【０００９】    この考案の一実施形態を、図１に示す。
メタルバイブレーションの本体１および２は、錘の部分が鉛となっており、その中心に２ヶ所以上の穴の開いたステンレスの板２を挟み込んで形成されている。
【００１０】    「実施形態の効果」
この実施形態によれば、穴の開いたステンレスの板２の働きで、複雑な波動を発生させる。
【符号の説明】
【００１１】  １  メタルバイブレーション本体の鉛    ２  メタルバイブレーション本体のステンレスの板
３  水を押さないように設けた穴        ４  釣糸と接続するための穴
５  釣針を取り付けるための穴
【図１】
0003193079.tif 000003
【図２】
0003193079.tif 000004
(57)【要約】      （修正有）【課題】メタルジグに整流板を設ける事により、より強い推進力と直進性を発生させるメタルジグを提供する。【解決手段】本体１の鉛の中心に、ステンレスの針金ではなく、本体２のステンレスの板を設けた。【選択図】図１
0003193080.tif 000002
【実用新案登録請求の範囲】
【請求項１】
ルアー本体の中心に、ステンレスの板を設けたことを特徴とするメタルジグ。
【考案の詳細な説明】
【技術分野】
【０００１】  この考案は、釣りに用いるルアーの形状に関する。
【背景技術】
【０００２】  従来の釣り等で使うルアーの一種、メタルジグの形状は、ステンレスの針金に鉛を成型した形状をしていた。ボートから海底に落としたり、岸から釣竿とリールを用いて投げたりして、釣竿をあおりながらリールを巻く事で動かしていた。
【先行技術文献】
【実用新案文献】
【０００３】
【非実用新案文献】
【０００４】
【考案の概要】
【考案が解決しようとする問題】
【０００５】  しかしながら、従来のメタルジグの形状であれば、魚を誘う動きとなる釣竿をあおった時に左右に推進する軌道は、海流の影響やメタルジグ表面の僅かな凹凸によって推進力が動き出した直後に弱くなったり、直進性が失われ動きが悪くなる。そこで、この考案は、メタルジグに整流板を設ける事により、より強い推進力と直進性を発生させるメタルジグを提供することを課題とする。
【課題を解決するための手段】
【０００６】  以上の課題を解決するために、第一考案は、従来のメタルジグを形成するステンレスの針金をステンレスの板に変更し、鉛で形成する本体の中心にこのステンレスの板を整流板として露出する構造としたことを特徴とするメタルジグである。
【考案の効果】
【０００７】  第一考案によれば、メタルジグの本体である鉛部分の中心にステンレスの板でできた整流板を設けたことで、水中で釣糸に引っ張られ動き出した後の推進力がすぐに失われる事はなく、より強い直進性を得る事が出来、従来のメタルジグの構造よりも強い推進力と直進性を得る事ができた。
【図面の簡単な説明】
【０００８】
【図１】この考案の一実施形態を示す平面図である。
【図２】従来技術を示す平面図である。
【考案を実施するための形態】
【０００９】    この考案の一実施形態を、図１に示す。
メタルジグの本体１および２は、錘の部分が鉛となっており、その中心にステンレスの板２を挟み込んで形成されている。
【００１０】    「実施形態の効果」
この実施形態によれば、ステンレスの板２の働きで、推進力と直進性を増幅させる。
【符号の説明】
【００１１】１  メタルジグ本体の鉛    ２  メタルジグ本体のステンレスの板
３  ステンレスの針金
【図１】
0003193080.tif 000003
【図２】
0003193080.tif 000004
(57)【要約】      （修正有）【課題】姿勢を美しくするタンクトップを提供する。【解決手段】使用者８が着用可能であり、姿勢を美しくするタンクトップであって、胴体部１０、ならびに、胴体部の両側に位置する右肩部１１および左肩部１２、を備える。胴体部は、背中部１３、右肩部１１に設けられており使用者の右肩８０に取り付け可能である右弾性体２０、胴体部の左肩部１２に設けられており使用者の左肩８１に取り付け可能である左弾性体２１、および、背中部に設けられており右弾性体２０と左弾性体２１との間に位置し使用者の右肩および左肩の姿勢を矯正する底部弾性体２２を有する。胴体部は背中部に設けられている中間弾性体２５をさらに有することが好ましい。【選択図】図４
0003193056.tif 000002
【実用新案登録請求の範囲】
【請求項１】
使用者（８）が着用可能であり、姿勢を美しくするタンクトップであって、
胴体部（１０）、ならびに、前記胴体部（１０）の両側に位置する右肩部（１１）および左肩部（１２）、を備え、
前記胴体部（１０）は、背中部（１３）、前記右肩部（１１）に設けられており前記使用者（８）の右肩（８０）に取り付け可能である右弾性体（２０）、前記胴体部（１０）の前記左肩部（１２）に設けられており前記使用者（８）の左肩（８１）に取り付け可能である左弾性体（２１）、および、前記背中部（１３）に設けられており前記右弾性体（２０）と前記左弾性体（２１）との間に位置し前記使用者（８）の前記右肩（８０）および前記左肩（８１）の姿勢を矯正する底部弾性体（２２）を有することを特徴とするタンクトップ。
【請求項２】
前記底部弾性体（２２）は、前記右弾性体（２０）の底部（２３）と前記左弾性体（２１）の底部（２４）とを連結することを特徴とする請求項１記載のタンクトップ。
【請求項３】
前記胴体部（１０）は前記背中部（１３）に設けられている中間弾性体（２５）をさらに有することを特徴とする請求項１記載のタンクトップ。
【請求項４】
前記中間弾性体（２５）は前記底部弾性体（２２）の中間部（２６）に接続されていることを特徴とする請求項３記載のタンクトップ。
【考案の詳細な説明】
【技術分野】
【０００１】
本考案は、肩部または背中部のリハビリテーション或いはスポーツ、鍛えるもしくはトレーニングや体を美しくするための運動器具または姿勢を美しくするタンクトップに関する。
【背景技術】
【０００２】
従来の衣服は着用のみが目的で、リハビリテーションまたはトレーニング或いは使用者の肩または背中を美しくすることはできない。
【考案の概要】
【考案が解決しようとする課題】
【０００３】
本考案は、姿勢を美しくするタンクトップを提供することを目的とする。
【課題を解決するための手段】
【０００４】
本考案によるタンクトップは、使用者（８）が着用可能であり、姿勢を美しくするタンクトップであって、胴体部（１０）、ならびに、前記胴体部（１０）の両側に位置する右肩部（１１）および左肩部（１２）、を備える。胴体部（１０）は、背中部（１３）、右肩部（１１）に設けられており使用者（８）の右肩（８０）に取り付け可能である右弾性体（２０）、胴体部（１０）の左肩部（１２）に設けられており使用者（８）の左肩（８１）に取り付け可能である左弾性体（２１）、および、背中部（１３）に設けられており右弾性体（２０）と左弾性体（２１）との間に位置し使用者（８）の右肩（８０）および左肩（８１）の姿勢を矯正する底部弾性体（２２）を有する。
【図面の簡単な説明】
【０００５】
【図１】本考案の一実施形態によるタンクトップ（前側）を示す斜視図である。
【図２】本考案の一実施形態によるタンクトップ（後側）を示す斜視図である。
【図３】本考案の使用状態（前側）を示す模式図である。
【図４】本考案の使用状態（後側）を示す模式図である。
【図５】本考案の使用状態（前側）を示す平面図である。
【図６】本考案の使用状態（後側）を示す平面図である。
【考案を実施するための形態】
【０００６】
（一実施形態）
本考案による姿勢を美しくするためのタンクトップは、図１と図２に示すように、織布または不織布から構成され、使用者８（図３〜６）に着用可能な衣服本体１を有し、係る衣服本体１は、胴体部１０と、右肩部１１と、左肩部１２を有する。
【０００７】
胴体部１０は、胴体部１０の右肩部１１に位置するか、または取り付けるか或いは右肩部１１付近場所に位置していて、使用者８の右肩８０に着用するかまたは取り付ける右弾性体２０と、胴体部１０の左肩部１２に位置し、使用者８の左肩８１に着用する左弾性体２１と、使用者８の背中部１３に位置していて、かつ右弾性体２０と左弾性体２１との間、例えば底部２３、２４の間に連結して、使用者８の右肩８０と左肩８１を互いに引き寄せて、使用者の８姿勢または姿態を調整する或いは矯正する底部弾性体２２と、を含む。
【０００８】
係る衣服本体１は、使用者８の背中部１３に位置していて、かつ底部弾性体２２の中間部２６に連結する中間弾性体２５をさらに含み、使用者８の姿勢または姿態を調整或いは矯正できるのみならず、使用者８の前屈みになることを避けることができる。
【０００９】
使用するときは、図３〜６に示すように、使用者８は衣服本体１を簡単に使用者８の体または胴体の上半身に着用することができる。右弾性体２０と左弾性体２１及び／または底部弾性体２２及び／または中間弾性体２５によって、使用者８の右肩８０と左肩８１が引き寄せられ、使用者８の姿勢または姿態を矯正または改善し、使用者８の前屈みになることを避けることができる。
【符号の説明】
【００１０】
１  ：衣服本体、
８  ：使用者、
１０  ：胴体部、
１１  ：右肩部、
１２  ：左肩部、
１３  ：背中部、
２０  ：左弾性体、
２１  ：左弾性体、
２２  ：底部弾性体、
２３  ：底部、
２４  ：底部、
２５  ：中間弾性体、
２６  ：中間部、
８０  ：右肩、
８１  ：左肩。
【図１】
0003193056.tif 000003
【図２】
0003193056.tif 000004
【図３】
0003193056.tif 000005
【図４】
0003193056.tif 000006
【図５】
0003193056.tif 000007
【図６】
0003193056.tif 000008
(57)【要約】      （修正有）【課題】臀部の露出を容易に行え、トイレなどの用足しに便利な繋ぎ服形状の着る毛布を提供する。【解決手段】上衣部１０と脚筒部１２とが連続する着る毛布１であって、脚筒部における臀部に、両脚筒１２ａ、１２ｂの各外側の上部を起点として臀部を横方向に開口する開口辺１８を設け、開口辺にはその全長に亘りスライダーファスナー１９が設けられ、スライダを介して、開口辺が開閉自在とされている。【選択図】図４
0003193053.tif 000002
【実用新案登録請求の範囲】
【請求項１】
上衣部と脚筒部とが連続する着る毛布であって、脚筒部における臀部に、脚筒部の両脚筒の各外側の上部を起点として臀部の横方向に開口辺を設け、開口辺にはその全長に亘り開閉手段が設けられ、開閉手段を介して、臀部の開口辺が開閉自在とされていることを特徴とする着る毛布。
【考案の詳細な説明】
【技術分野】
【０００１】
この考案は、冬の寒い時期に重ね着をすることなく家の中で快適に過ごすことができるいわゆる着る毛布に関するものである。
【背景技術】
【０００２】
冬の時期に家の中に居るときに、寒さを防ぐために重ね着などをする場合が多い。服を重ね着することなく、家の中で快適に過ごすために、いわゆる着る毛布が種々販売されている。
【０００３】
この着る毛布は、例えば、毛布やフリース生地でガウンなどのように縫製され、上半身から下半身まで覆うように構成されている。脚から股の部分をズボン状に形成して繋ぎ服のような形状にし、下半身からの冷気が入らなくするとともに、室内を歩くときに裾が邪魔にならないようにした着る毛布も提案されている。
【０００４】
繋ぎ服のような形状にした着る毛布においては、トイレなどに行く場合には、着る毛布を脱がなければならず、その着脱が不便であった。そこで、足下から股に掛けてボタンで開閉自在にしたものが提案されている。ボタンで開閉自在にすることにより、トイレなどの際の着脱が容易になっている。
【０００５】
一方、作業用の繋ぎ服においては、トイレなど用足しに便利なように、ズボン部が股上後面の上端近傍に位置する始端より股部の最下端を経て股上前面の上端近傍までスライドファスナーを取り付け、スライドファスナーを開くことにより、ズボン部の股部を広く開くことができるものが提案されている（例えば、特許文献１参照）。
【先行技術文献】
【特許文献】
【０００６】
【特許文献１】特開２００１−２７１２０８号公報
【考案の概要】
【考案が解決しようとする課題】
【０００７】
ところで、ズボンを脱ぐようにして。臀部を露出する方がトイレなどには便利と感じる人も多く、上記した特許文献１のように、股部を広く開くものでは使いづらいという難点があった。
【０００８】
そこで、この考案は、臀部の露出を容易に行え、トイレなどの用足しに便利な繋ぎ服形状の着る毛布を提供することを課題とするものである。
【課題を解決するための手段】
【０００９】
この考案は、上記の課題を解決するために、上衣部と脚筒部とが連続する着る毛布であって、脚筒部の臀部の横方向に開口辺が設けられるとともに、この開口辺を開閉する開閉手段が設けられていることを特徴とするものである。
【考案の効果】
【００１０】
この考案の着る毛布によれば、通常は、臀部における開口辺は閉鎖しておくことにより、風が入ることなく、暖かい着る毛布として用いることができる。
【００１１】
また、トイレなどに当たっては、開口辺を開放することにより、臀部が大きく開放され、着る毛布を脱ぐことなく用足しを行うことができる。
【図面の簡単な説明】
【００１２】
【図１】この発明の実施形態に係る着る毛布を示す正面図である。
【図２】この発明の実施形態に係る着る毛布を示す背面図である。
【図３】この発明の実施形態に係る着る毛布を示す斜視図である。
【図４】この発明の実施形態に係る着る毛布の開口辺を開けた状態を示す背面図である。
【考案を実施するための形態】
【００１３】
この考案の実施形態を添付図面に基づいて具体的に説明する。なお、本考案に係る着る毛布は、下記の実施形態に示したものに限定されず、その要旨を変更しない範囲において適宜変更して実施できるものである。
【００１４】
図１〜図４は、この考案の実施形態にかかる着る毛布１を示し、この着る毛布１は、ボアフリースなどの保温性の高い毛布素材を繋ぎ服のように縫製したホームウェアで、身体を完全に包み込み、空気を閉じ込め、冬の寒い時期も快適に過ごすことができるものである。
【００１５】
着る毛布１は、袖１１を有する上衣部１０とこれに一連に続く脚筒部１２とからなる。上衣部１０の襟部１３に連接してフード１４が設けられている。脚筒部１２は、両脚筒１２ａ、１２ｂを有し、上衣部１０の襟部１３の下端から脚筒部１２の前立て部に亘る前身頃中央には、直線状の開口辺１５が縦断して設けられる。開口辺１５にはその全長に亘りスライダーファスナー１６が設けられ、スライダを介して開閉自在とされている。また、上衣部１０の下方には、ポケット１０ａが設けられている。
【００１６】
両脚筒１２ａ、１２ｂの先端、袖１１の袖口には、ゴムなどにより絞られ、それぞれの先端部分から風が入るのを防いでいる。
【００１７】
このような着る毛布１において、この考案では、図２及び図４に示すように、脚筒部１２における臀部１７に、両脚筒１２ａ、１２ｂの各外側の上部を起点として臀部１７を横方向に開口辺１８を設け、開口辺１８にはその全長に亘り開閉手段としてのスライダーファスナー１９が設けられ、スライダを介して、臀部１７の開口辺１８が開閉自在とされている。
【００１８】
尚、上記した臀部１７の開口辺１８は、スライダーファスナー１９を用いて開閉自在に構成しているが、これに限らず面ファスナーなどを用いて、開閉自在に構成することもできる。
【００１９】
この考案の着る毛布１によれば、通常は、臀部１７における開口辺１８はスライダーファスナー１９により閉鎖しておくことにより、風が入ることなく、暖かい着る毛布１として用いることができる。
【００２０】
また、トイレなどに当たっては、スライダーファスナー１９のスライダを介して開口辺１８を開放することにより、図４に示すように、臀部１７が大きく開放され、着る毛布１を脱ぐことなく用足しを行うことができる。
【符号の説明】
【００２１】
１      ：着る毛布
１０    ：上衣部
１１    ：袖
１２    ：脚筒部
１２ａ、１２ｂ  ：脚筒
１３    ：襟部
１４    ：フード
１５    ：開口辺
１６    ：スライダーファスナー
１７    ：臀部
１８    ：開口辺
１９    ：スライダーファスナー
【図１】
0003193053.tif 000003
【図２】
0003193053.tif 000004
【図３】
0003193053.tif 000005
【図４】
0003193053.tif 000006
(57)【要約】      （修正有）【課題】使用者の足弓を支えると共に、足底腱膜炎またはかかとの捻挫を防止する機能性運動ソックスを提供する。【解決手段】足弓部１３を有するソックス本体１０を備える。ソックス本体１０は、足弓部１３から外側および上部１４に延ばす外側支持部と、足弓部１３から内側および上部１４に延ばす内側支持部２２とを含む支持部２０を有する。これにより、使用者の足弓を支えると共に、足底腱膜炎またはかかとの捻挫を防止する。【選択図】図１
0003193057.tif 000002
【実用新案登録請求の範囲】
【請求項１】
機能性運動ソックスであって、足弓部（１３）を有するソックス本体（１０）を備え、
前記ソックス本体（１０）は、前記足弓部（１３）から外側および上部（１４）に延ばす外側支持部（２１）と、前記足弓部（１３）から内側および上部（１４）に延ばす内側支持部（２２）とを含む支持部（２０）を有することを特徴とする機能性運動ソックス。
【請求項２】
前記外側支持部（２１）と前記内側支持部（２２）との間に連結部（２４）が連結されていることを特徴とする請求項１記載の機能性運動ソックス。
【請求項３】
前記支持部（２０）は、前記内側支持部（２２）と前記外側支持部（２１）との間に設けられている補強部（２３）をさらに含むことを特徴とする請求項１記載の機能性運動ソックス。
【考案の詳細な説明】
【技術分野】
【０００１】
本考案は、機能性運動ソックスに関する。
【背景技術】
【０００２】
公知の運動ソックスは、使用者の足弓を支えることができないため、使用者が運動後に疲れを感じるほか、足底腱膜炎または踵の捻挫を引き起こしやすい。
【考案の概要】
【考案が解決しようとする課題】
【０００３】
本考案は、使用者の足弓を支えると共に、足底腱膜炎またはかかとの捻挫を防止する運動ソックスを提供することを目的とする。
【課題を解決するための手段】
【０００４】
本考案による機能性運動ソックスは、足弓部（１３）を有するソックス本体（１０）を備える。ソックス本体（１０）は、足弓部（１３）から外側および上部（１４）に延ばす外側支持部（２１）と、足弓部（１３）から内側および上部（１４）に延ばす内側支持部（２２）とを含む支持部（２０）を有する。
【図面の簡単な説明】
【０００５】
【図１】本考案の一実施形態による機能性運動ソックスの内側を示す立体図である。
【図２】本考案の一実施形態による機能性運動ソックスの外側を示す立体図である。
【図３】本考案の一実施形態による機能性運動ソックスの底部を示す平面図である。
【考案を実施するための形態】
【０００６】
（一実施形態）
本考案の一実施形態による機能性運動ソックスは、図１〜３に示すように、かかと部１１と、使用者の足部８の重量を支える足指部１２と、を含む、ソックス本体１０を備える。ソックス本体１０の足弓部１３に、使用者の足部８の内側と外側にストレッチ力量を加えることができる弾性の支持部２０が設けられ、係る支持部２０は足弓部１３から外側とソックス上部１４に延ばす外側支持部２１と、足弓部１３から内側と上部１４に延ばす内側支持部２２を含む。
【０００７】
支持部２０によって、支持者の重量を支えると共に、使用者の足弓部を覆い、足弓部に圧力を加え、使用者の疲れを軽減し、スポーツパフォーマンスを向上させると共に、足底腱膜炎の発生を抑制できる。さらに、使用者の足部８の両側に圧力を加えて、足弓部から上方と両側に伸ばし、左右のバランスをとることによって、かかと部の過度なひねりを回避することができる。支持部２０は、外側支持部２１と内側支持部２２との間に設けられ、足弓部１３に位置する補強部２３をさらに含む。厚みまたは弾性の増強を図ると共に、緩衝効果を持たせ、かかとの内反を防止するため、内側に設けられることが好ましい。スポーツをする人がウォーミングアップの運動を充分に行わない場合、不注意によるかかとの捻挫を引き起こしやすい。その対策として、本考案の支持部２０の外側支持部２１と、内側支持部２２とを連結部２４に連結しても良い。
【符号の説明】
【０００８】
１０  ソックス本体、
１３  足弓部、
１４  最上部、
２０  支持部、
２１  外側支持部、
２２  内側支持部、
２３  補強部、
２４  連結部。
【図１】
0003193057.tif 000003
【図２】
0003193057.tif 000004
【図３】
0003193057.tif 000005
(57)【要約】      （修正有）【課題】生産工程の多種多様の中での内角角度を簡単に測定出来る内角度測定ゲージを提供する。【解決手段】特殊鋼板をＡ板、Ｂ板、Ｃ板を長方形にそれぞれ作成しＡ板とＢ板のユルメカシメ部１５とＢ板とＣ板のユルメカシメ部１６を作り、Ｃ板に取り付けた固定ボルトは指示線板を具備すると同時にＡ板の嵌合溝に滑合させて二等辺三角形の機構を形成させ第二餘弦法則を用いた内角度測定ゲージである。【選択図】図４
0003193096.tif 000002
【実用新案登録請求の範囲】
【請求項１】
特殊鋼板をＡ板（１）とＢ板（２）とＣ板（３）をそれぞれ長方形に作成しＡ板（１）の左端にカシメ穴（４）と嵌合溝（５）と１５度−６０度の角度目盛（６）を設けＢ板（２）には中心線上の左端にカシメ穴（７）とカシメ穴（７）より２００ｍｍ右方の位置にカシメ穴（８）を設け，Ｃ板（３）には中心線の左端にカシメ穴（９）とカシメ穴（９）より２００ｍｍ右方の位置に固定ボルト穴（１０）を設けＡ板（１）の嵌合溝（５）に滑合する固定ボルト（１１）を固定ボルト穴（１０）に圧入し，固定ボルト（１１）に具備する指標線（１２）を持つ指示線板（１３）と締め付けナット（１４）を設けた後Ａ板（１）のカシメ穴（４）をＢ板（２）カシメ穴（７）の上に，又Ｂ板（２）のカシメ穴（８）をＣ板（３）カシメ穴（９）の上にしてそれぞれユルメカシメ部（１５）と（１６）としＣ板（３）の固定ボルト（１１）をＡ板（１）の嵌合溝（５）に滑合させ，締め付けナット（１４）を設けて二等辺三角形の機構を形成させ第二餘弦法則に従い弦の長さをユルメカシメ部（１５）を起点（０度）としてＡ板（１）に角度目盛（６）を設けた事を特徴とする内角度測定ゲ−ジである。
【考案の詳細な説明】
【技術分野】
【０００１】本考案は，生産工程の多種多様の作業の中で内角角度の測定に関するものである。
【背景技術】
【０００２】従来から内角測定ゲ−ジでは，テ−パ−リングゲ−ジとか角度定規などがあった。
【考案の開示】
【考案が解決しようとする課題】
【０００３】これには次の様な欠点があった。
上記内角測定ゲ−ジはいづれも高価格であり又作業手順に手数が掛かる。
本考案は、以上の欠点を解決する為に考案されたものである。
【課題を解決するための手段】
【０００４】特殊鋼板をＡ板（１）、Ｂ板（２）、Ｃ板（３）をそれぞれ長方形に作成しＡ板（１）には左端にカシメ穴（４）と嵌合講（５）と１５度−６０度の角度目盛（６）を設けＢ板（２）には中心線上の左端にカシメ穴（７）とカシメ穴（７）より２００ｍｍの間隔の位置にカシメ穴（８）を設け、Ｃ板（３）には中心線上の左端にカシメ穴（９）とカシメ穴（９））より２００ｍｍの間隔の位置に固定ボルト（１１）を圧入するための固定ボルト穴（１０）を設け、Ａ板（１）のカシメ穴（４）をＢ板のカシメ穴（７）の上に、Ｂ板（２）のカシメ穴（８）はＣ板（３）のカシメ穴（９）の上にしてそれぞれユルメカシメ部（１５）と（１６）を作り、固定ボルト穴（１０）に固定ボルト（１１）を圧入し固定ボト（１１）に指標線（１２）を持つ指示線板（１３）を取り付け後Ａ板（１）の嵌合溝（５）に指示線板（１１）を滑合させ固定ボルト（１１）に締め付けナット（１４）を取り付ける。
本考案は以上の構成からなる内角度測定ゲ−ジである。
【考案の効果】
【０００５】上述の様に本考案によれば被測定物の内角を測定する場合はＢ板（２）とＣ板（３）のユルメカシメ部（１６）の外角に合わせ締め付けナット（１４）を閉めたとき指示線板（１３）の指標線（１２）がＡ板（１）の角度目盛（６）の数値に会った所が測定値で操作が簡単である。
【考案の実施するための最良の形態】
【０００６】以下本考案の実施の形態を図１−図５に基づいて説明する。
【０００７】特殊鋼板を図１、図２、図３に示すようにそれぞれ長方形に加工する。
【０００８】Ａ板（１）には図１の様に左端にカシメ穴（４）と嵌合溝（５）とユルメカシメ部（１６）が作る角度を第二餘弦法則に従って弦の長さを角度として１５度−６０度の角度目盛（６）を設けた。
【０００９】Ｂ板（２）には図２の様に板の中心線上の左端にカシメ穴（７）とカシメ穴（７）より２００ｍｍの間隔の位置にカシメ穴（８）を設けた。
【００１０】Ｃ板（３）には図３の様に板の中心線上の左端にカシメ穴（９）とカシメ穴（９）より２００ｍｍの間隔の位置に固定ボルト穴（１０）を設けた。
【００１１】図４の様にＡ板（１）のカシメ穴（４）をＢ板（２）のカシメ穴（７）の上に、Ｂ板（２）のカシメ穴（８）をＣ板（３）のカシメ穴（９）の上にしてそれぞれユルメカシメ部（１５）、（１６）とし又Ｃ板（３）の固定ボルト穴（１０）に固定ボルト（１１）を圧入し固定ボルト（１１）に指標線（１２）を具備する指示線板（１３）をＡ板（１）の嵌合溝（５）に滑合させ固定ボルト（１１）に締め付けナット（１４）を取り付ける。
【実施例】
【００１２】本考案は以上の様に二等辺三角形の機構を形成させこれを使用するときは図５に示すように締め付けナット（１４）を緩め、ユルメカシメ部（１６）が作る先端部を被測定部に合わせる為に固定ボルト（１１）をスライドさせ止まった時点で締め付けナット（１４）を締めた時、指示線板（１３）の指標線（１２）が示す角度が測定角度でおる。
【図面の簡単な説明】
【００１３】
【図１】本考案のＡ板（１）の正面図である。
【図２】本考案のＢ板（２）の正面図である。
【図３】本考案のＣ板（３）の正面図である。
【図４】本考案のＡ板（１）とＢ板（２）とＣ板（３）を組み立てた正面図である。
【図５】本考案の実施例を示す斜視図である。
【符号の説明】
【００１４】１  Ａ板
２  Ｂ板
３  Ｃ板
４  カシメ穴（Ａ板）
５  嵌合溝
６  角度目盛
７  カシメ穴（Ｂ板）
８  カシメ穴（Ｂ板）
９  カシメ穴（Ｃ板）
１０固定ボルト穴
１１固定ボルト
１２指標線
１３指示線板
１４締め付けナット
１５Ａ板とＢ板のユルメカシメ部
１６Ｂ板とＣ板のユルメカシメ部
【図１】
0003193096.tif 000003
【図２】
0003193096.tif 000004
【図３】
0003193096.tif 000005
【図４】
0003193096.tif 000006
【図５】
0003193096.tif 000007
(57)【要約】      （修正有）【課題】生活道路の側溝の清掃にあたり、重いグレーチングの脱着は、高齢者や女性には大変な重労働であるため、設置されている場所での開閉の出来るグレーチング係止器具を提供する。【解決手段】清掃作業にあたり、重いグレーチング３は脱着せず、上部にＴ字形金具５を有する折り畳み可能なアルミ脚４を設けるとともにグレーチング３を支持するＴ字形金具５の一面に磁石６を貼って構成し、他面にはアルミ脚４の上端部に設けた角度変更ストッパー７がＴ字形金具５に当接して固定できるよう設け、清掃作業を行う時にのみ使用し使用しない時には外しておける係止器具であり、土砂等が回動部等に堆積し必要時に使用できなくなると言う不具合を無くすとともに、グレーチング３を立った状態で簡単に支えることができ清掃作業を容易に行えるようにする。【選択図】図１
0003193094.tif 000002
【実用新案登録請求の範囲】
【請求項１】
Ｕ字溝を塞ぐグレーチングを開放時に支持する係止具において、上部にＴ字形金具を有する折り畳み可能なアルミ脚を設けるとともにグレーチングを支持するＴ字形金具の一面に磁石を貼って構成し、他面にはアルミ脚の上端部に設けた角度変更ストッパーがＴ字形金具に当接して固定できるよう設けたことを特徴とするグレーチング係止器具。
【請求項２】
折り畳み可能なアルミ脚の下端部には調節軸を設け高さ調節可能としたことを特徴とする請求項１記載のグレーチング係止金具。
【考案の詳細な説明】
【技術分野】
【０００１】
本考案は、住宅地や公道に沿って設置された側溝蓋であるグレーチングの係止器具に関するものである。  
【背景技術】
【０００２】
従来、住宅地や公道に沿って、排水の側溝が設けられている。各住宅の入口やガレージの入口には長方形のグレーチングが設置されている。そのグレーチング１枚の重量は、１０ｋｇ以上もあり、清掃作業時には、重いグレーチングを外して通路の側面に移動させて、側溝内の清掃作業を行っている。
【０００３】
地域住民は、防虫や美化のため、年数回の清掃作業を行っているが、高齢者や女性には大変な重労働である。
これを解消すべく、グレーチングを引き上げるための取手部材を設けたもの（特許文献１）あるいはグレーチング開口のための腕を設けた（特許文献２）等が見受けられる。これら先行技術はグレーチングを開状態にすべく予め取り付けられているものである。これらの係止具は最初のうちは問題なく動き便利であるが年数を経ると土砂等が回動部等に堆積され必要時に使用できなくなると言う不具合が発生していた。
【先行技術文献】
【特許文献】
【０００４】
【特許文献１】特開２００６−１１２１４４号公報
【特許文献２】実開昭５１−１２５４６１号公報
【考案の概要】
【考案が解決しようとする課題】
【０００５】
本考案は、清掃作業を行う時にのみ使用し使用しない時には外しておける係止器具であり、土砂等が回動部等に堆積し必要時に使用できなくなると言う不具合を無くすとともに、グレーチングを立った状態で簡単に支えることができ清掃作業を容易に行えるようにしたものである。
【課題を解決するための手段】
【０００６】
本考案のグレーチング開時係止器具は、上記の目的を達成するため、T字形の金具にグレーチングを接着させるために、側面に磁石と開時角度を固定させて支えられるアルミ脚をもち、その先端にはグレーチングの大小にも対応出来る調節ネジを備えた    係止器具を提供する。また、清掃作業終了後、係止器具は、グレーチングより外して、自宅で保管出来る便利さがある。
【考案の効果】
【０００７】
本考案の係止器具の使用により、グレーチングを立った状態で簡単に支えることができ、従来の清掃作業に比べ、高齢者や女性でも体への負担が少なく、能率的な清掃作業が行える。                                                                        
【図面の簡単な説明】
【０００８】
【図１】本考案のグレーチング開時の取り付け状態を示す側面図である。
【図２】第１図のＡ方向からみたグレーチング全体図である。
【図３】本考案の「係止金具」を示す側面図である。
【図４】第３図の（イ）方向より見た詳細図である。
【実施例１】
【０００９】
道路に沿って生活排水のためコンクリート側溝２、またはＵ字溝１が設けられ、溝蓋としてグレーチング３が設置してある。グレーチングは縦桟３Ａと横桟３Ｂで構成され空間３Ｃが形成されている。本考案の係止金具は上部にＴ字金具５を有し、Ｔの一端には磁石６添設してグレーチング３に固定できるようにするとともに他端にはアルミ脚４をビス等にて回動自在に固定している。このアルミ脚４の上端には角度変更ストッパー７を設けておりグレーチング３を立設状態で支持できるようにしている。グレーチング３の中央上位側面に空間３Ｃから縦桟３Ａに係止器具のＴ字金具５の一端に設けた磁石６にて固定させて、角度変更ストッパー７の角度を０度として、グレーチング３に取り付けてグレーチング３を開時した時グレーチング３の底辺となる所とアルミ脚４の長さを調節軸８で同じ長さに揃えて、開脚角度を３０度にしてグレーチング３の上両端を持って、手前に引き寄せてアルミ脚４の止めネジ９を着地させる。また、現在のグレーチング３の設置点より止めネジ９の着地点の方が高い場合は、高さ分アルミ脚４の長さを調節軸８で短くして止めネジ９を着地させて清掃作業を行い、終了後は、グレーチング３を戻して、係止器具を外し収納する。      
【産業上の利用可能性】
【００１０】
本考案の係止器具は、軽量のため、手軽に携帯も出来て、清掃作業に大いに役立つ開時の係止器具である。    
【符号の説明】
【００１１】
１  Ｕ字溝        
２  側溝
３  グレーチング
３Ａ  縦桟
３Ｂ  横桟
３Ｃ  空間
４  アルミ脚
５  Ｔ字金具  
６  磁石                
７  角度変更ストッパー
８  調節軸  
９  止めネジ  
【図１】
0003193094.tif 000003
【図２】
0003193094.tif 000004
【図３】
0003193094.tif 000005
【図４】
0003193094.tif 000006
(57)【要約】      （修正有）【課題】適切な価格で、個人事業者でも施工できる一戸建て家屋用免震装置を提供する。【解決手段】円柱状の架台２と、支持球３と、円筒状の円筒器４を備え、架台２は、鉄などでできた円板２３と、円板で上下に挟まれた円柱状の弾性体からなる本体２１と、その上部に建物の土台を支えるための支持体２２からなり、支持体２２の上端は、建物の土台を載せるように広がり、下端は、本体２１を貫いて、下部の円板２３で溶接されている。円筒器４に、支持球３を設置し、その上に架台２を設置した構成で、架台２の上に、建物の土台を載せることにより免震する。【選択図】図１
0003193091.tif 000002
【実用新案登録請求の範囲】
【請求項１】
円柱状の架台２と、支持球３と、円筒状の円筒器４を備え、架台２は、鉄などでできた円板２３と、円板２３で上下には挟まれた、円柱状の弾性体からなる本体２１と、その上部に建物の土台を支えるための支持体２２からなり、支持体２２は、上端は、建物の土台を載せるように広がり、下端は、本体２１を貫いて、下部の円板２３に接続固定しており、円筒器４に、支持球３を設置し、その上に架台２を設置した構成で、架台２の上に、建物の土台を載せることにより免震することを特徴とする一戸建て家屋用免震装置。
【請求項２】
円筒器４の底面４３は、真ん中が一番低い、すり鉢状で、支持球３は地震がないときは、すり鉢状の真ん中に安定して位置するようにしたことを特徴とする請求項１記載の一戸建て家屋用免震装置。
【考案の詳細な説明】
【技術分野】
【０００１】一戸建て用の家屋に使用する免震装置に関する。
【背景技術】
【０００２】地震が頻繁に発生しており、一戸建て用の家屋用に適切な価格で施工できる免震方法が求められている。
【先行技術文献】
【特許文献】
【０００３】
【特許文献１】特開平１０−７３１４６公報
【考案の概要】
【考案が解決しようとする課題】
【０００４】従来の免震装置並びに免震工法の施工費用は高く、一戸建て用の家屋用に適切な価格で施工できる免震工法がない。個人事業者でも施工できる免震工法がない。
【課題を解決するための手段】
【０００５】円柱状の架台２と、支持球３と、円筒状の円筒器４を備え、架台２は、鉄などでできた円板２３と、円板２３で上下には挟まれた、円柱状の弾性体からなる本体２１と、その上部に建物の土台を支えるための支持体２２からなり、支持体２２は、上端は、建物の土台を載せるように広がり、下端は、本体２１を貫いて、下部の円板２３で溶接され、円筒器４に、支持球３を設置し、その上に架台２を設置した構成で、架台２の上に、建物の土台を載せることにより免震することを特徴とする一戸建て家屋用免震装置。【０００６】円筒器４の底面４３は、真ん中が一番低い、すり鉢状で、支持球３は地震がないときは、すり鉢状の真ん中に安定して位置するようにしたことを特徴とする免震装置。
【考案の効果】
【０００７】一戸建て家屋用の免震装置を導入することで短時間で施工ができ、一戸建て住宅における地震時の揺れを緩和できる。
【図面の簡単な説明】
【０００８】
【図１】本考案の免震装置の構成
【図２】本考案の免震装置の使用図
【図３】本考案の免震装置の配置例
【考案を実施するための形態】
【０００９】図１は、本考案の免震装置の構成を示す。
本考案の免震装置は、円柱状の架台２と、支持球３と、円筒状の円筒器４を備える。
架台２は、鉄などでできた２つの円板２３と、２つの円板２３で上下には挟まれた、円柱状の弾性体からなる本体２１と、その上部に建物の土台を支えるための支持体２２からなる。
支持体２２は、上端は、建物の土台を載せるように広がっており、下端は、本体２１を貫いて、下部の円板２３で溶接して接続されている。架台の本体２１は、円筒器４の径とほぼ同じか、やや小さめである。円板２３は、本体２１の径より短く設計している。円筒器４に、支持球３を設置し、その上に架台２を設置している。架台２の上に、建物の土台を載せることにより免震する。
【００１０】円筒器４の底面４３は、真ん中が一番低い、すり鉢状で、支持球３は地震がないときは、すり鉢状の真ん中に安定して位置する。地震があると、架台２は弾性体であるので、円筒器４の側面４２に当たることで撓み、左右、前後に、支持球３が転がる。架台２は、円板２３の径以上に撓まないようにしているので、その転がりは、円筒器４内に制限される。地震がなくなると、支持球３は、すり鉢状の中心部に転がり安定する。
【００１１】図２は、本考案の免震装置の使用図を示す。
建物のコンクリートの基礎６に、免震装置１を埋め込む。免震装置１の架台２の上に、建物５の土台５１をのせる。地震があると免震装置１が振動を吸収する。
【００１２】図３は、本考案の免震装置の配置例を示す。
例えば、図３に示す建物の基礎６に、所定の間隔で免震装置１を配置する。配置する免震装置１の個数は、建物の重さ、大きさなどにより決める。
【符号の説明】
【００１３】    １  免震装置
２  架台
２１  本体
２２  支持体
２３  円板
３  指示球
４  円筒器
４１  上辺
４２  側面
４３  底面
５  建物
５１  土台
５２  柱
６  基礎
【図１】
0003193091.tif 000003
【図２】
0003193091.tif 000004
【図３】
0003193091.tif 000005
(57)【要約】      （修正有）【課題】災害時や緊急時など暗い場所で光源が必要となる場合に、転がす、滑らせる、投げ込むことで必要な場所に届け、その場で全方向に光を発生する全方向照明装置を提供する。【解決手段】内部に電池、外部に他電源の入力端子５を持ち、全方向に光を照射するために外装形状に沿って多数の発光源２を備える。内部電池を使用すると、転がす、滑らせる、投げ込むなどの行為により必要な箇所に移動させ、その場で全方向に光る。ポケットに入れるなど携帯可能で、安価に製造できるため使い捨ても可能である。【選択図】図２
0003193092.tif 000002
【実用新案登録請求の範囲】
【請求項１】
電池を電源とする内部電源、または外部電源からの入力端子、のいずれか一方または両方を持ち、外装形状に沿って、配置した発光源により全方向に光を照射する、全方向照明装置。
【請求項２】
前記外部電源からの入力端子とは、外部電池または手回し発電機のような簡易直流発生装置や商用電源のいずれか一つまたは複数から電力を取り込むための端子とする請求項１に記載の全方向照明装置。
【請求項３】
前記外装形状とは、球、楕円、円柱、角柱、円錐、角錐、立方体、多角形のいずれか一つまたはいくつかを複合した形状とする請求項１に記載の全方向照明装置。
【考案の詳細な説明】
【技術分野】
【０００１】  本考案は、照明装置に関するものである。
【背景技術】
【０００２】  全方向照明には、ボール型電球がある。外装がガラス製やプラスチック製で固定照明として使用されている。電源は、商用電源である交流電源である。また、現在では形状の一部が球体に近ければ、ボール型と呼んでいる。投光器については、一方向からの光であり、作業を伴う場合には固定して使用している。災害時などに人や物を探すとき投光器方向を変えながら光を照射したり、ビル警備の異常時などに警備係の所持している投光器で方向を変えながら光を照射したりすることは煩雑であり効率も悪い。
【考案の概要】
【考案が解決しようとする課題】
【０００３】  照明が必要なところに容易に移動させることができる全方向照明が期待される。簡単な全方向表示装置を転がしたり、滑らせたり、投げ入れることによって装置の周りに光を全方向に放つことにより作業効率が上がる。
【課題を解決するための手段】
【０００４】  照明装置を任意の場所に移動可能とするために、電源を内蔵する他、有線で外部電池や手回し発電機の出力、商用電源などなどを電源とし、転がしたり、滑らせたり、投げることが可能な全方向照明を考案する。
すなわち、本考案は以下の通りである。
１．電池を電源とする内部電源、または外部電源からの入力端子、のいずれか一方または両方を持ち、外装形状に沿って、配置した発光源により全方向に光を照射する、全方向照明装置。
２．前記外部電源からの入力端子とは、外部電池または手回し発電機のような簡易直流発生装置や商用電源のいずれか一つまたは複数から電力を取り込むための端子とする１．に記載の全方向照明装置。
３．前記外装形状とは、球、楕円、円柱、角柱、円錐、角錐、立方体、多角形のいずれか一つまたはいくつかを複合した形状とする１．に記載の全方向照明装置。
【考案の効果】
【０００５】  本考案は、暗い場所に転がし、滑らせ、つり下げ、投げ込むことによって、装置の全方向に対して光を照射することができる。暗い閉所において物や人を探索する場合に、いずれかの方法によりその場所に移動させれば、その場において全方向に光を照射する。手前から光を照射する場合と比べ陰ができにくく、投光器のように移動させる必要が無いため見落としなどが少なくなり、人や物の探索に役立つ。小型軽量で安価に製作できることから、使い捨ての装置として大量に生産、活用が可能である。
【図面の簡単な説明】
【０００６】
【図１】内部電池と発光源としてＬＥＤを使用した例
【図２】外装形状として球体を用い、発光源を配置した例
【図３】外装に被覆材を用いて発光源を保護した例
【考案を実施するための形態】
【０００７】  以下、本考案を実施形態に従って説明する。
図１に内部電池と発光源としてＬＥＤを使用した例を示す。一般のＬＥＤの光度は１ｃｄ（カンデラ）程度であり、点灯時でも光源としては使用できない。考案では一般のＬＥＤの光度の六十倍程度の６０ｃｄ（カンデラ）の白色ＬＥＤを使用するが、同様の赤色ＬＥＤやレーザーダイオードを使用することも可能である。有線で使用できる状況にある時は、入力端子より外部電源からの電力を供給し、離れた場所や瓦礫の奥や水のない井戸の底のような場所には、内部電源を使用し、投げ込むことで、自立して光を照射させることができる。
図２に外装形状として球体を用い、発光源を配置した例を示す。外装形状の大きさにより周りに配置するＬＥＤの数が増減するが、一つのＬＥＤの電流は、１．５Ｖのボタン電池二個を直列に使用し、電圧３．０Ｖを電源とした場合１０ｍＡである。１．５Ｖ電池を標準に直列で使用する場合、電流は１Ａであるため、一つの全方位照明装置につきＬＥＤは１００個まで使用可能となる。小型電池を多数用いることにより、強い光を確保することも可能である。
図３に外装にゴム等の被覆材を用いて発光源を保護した例を示す。全方向照明装置をポケットに入れたり、投げたりすることを容易にするためには、全方向照明装置の大きさは直径５０ｍｍから直径７０ｍｍ程度が扱いやすいものと考えられる。大きくても可能であるが、携帯したり、複数所持することが難しくなる。完成した全方向照明装置は小型、軽量で、ゴムなどの保護材で覆うことにより扱い易くなる。携帯が可能であり、使用時にはスイッチを入れ、転がしたり投げれば良いことになる。
【０００８】  本考案は、携帯可能な全方向照明装置を暗い場所に転がし、滑らせ、つり下げ、投げ込むことによって、全方向照明装置の全方向に対して光を照射することができる。暗い閉所において物や人を探索する場合に、いずれかの方法によりその場所に移動させれば、その場において全方向に光を照射する。手前から光を照射する場合と比べ陰ができにくく、投光器のように移動させる必要が無いため見落としなどが少なくなり、人や物の探索に役立つ。小型軽量で安価に製作できることから、使い捨ての全方向照明装置として大量に生産、活用が可能である。
【符号の説明】
【０００９】１  電池、２  発光源（ＬＥＤ）、３  外装、４  スイッチ、５  入力端子、６被覆材、７  発光源窓
【図１】
0003193092.tif 000003
【図２】
0003193092.tif 000004
【図３】
0003193092.tif 000005